(57)【要約】      （修正有）【課題】運動者が運動の範囲全体にわたって適正な姿勢を維持するのに役立つ装置およびシステムを提供する。【解決手段】中心点、第１の端部、および第２の端部を有する細長い棒１０２含む。装置はまた、棒に接続され、中心点から離れて細長い棒１０２の外側表面に沿って第１の端部の方へ螺旋状に延びる第１のトラック１０４ａと、棒に接続され、中心点から離れて細長い棒１０２の外側表面に沿って第２の端部の方へ螺旋状に延びる第２のトラック１０４ｂとを含む。第２のトラック１０４ｂに沿った任意の点は、中心点を通って延び、細長い棒１０２の長手方向軸に直交する中心平面に対して、第１のトラック１０４ａ上の対応する点に鏡映対称である。システムは、装置と、第１のハンドスライド１０６ａおよび第２のハンドスライド１０６ｂと、第１のハンドスライド１０６ａを第２のハンドスライド１０６ｂと結合させる抵抗バンドとを含む。【選択図】図１
2015096204.tif 000002
【特許請求の範囲】
【請求項１】
フィットネススティック用の装置であって、
中心位置、第１の端部、および第２の端部を有する細長い棒と、
前記棒に接続され、前記細長い棒の外側表面に沿って前記中心位置から前記第１の端部に向かって外方へ螺旋状に延びている第１のトラックと、
前記棒に接続され、前記細長い棒の外側表面に沿って前記中心位置から前記第２の端部に向かって外方へ螺旋状に延びている第２のトラックと、を備え、
前記第２のトラックに沿った任意の点が、前記中心位置を通り且つ前記細長い棒の長手方向軸に直交して延びている中心平面に関して、前記第１のトラック上の対応する点に対して鏡映対称であり、
前記第２のハンドスライドの前記トラックガイドが、前記第２のトラックと係合し且つ前記第２のハンドスライドを前記細長い棒の長手方向軸の周りで前記第１のトラックと同じ回転の向きに維持するように選択された形状を有するように形成されている、装置。
【請求項２】
取付けデバイス、ハンドグリップ、およびトラックガイドを有する第１のハンドスライドを更に備えている、請求項１に記載の装置。
【請求項３】
前記取付けデバイスが、前記第１のハンドスライドを前記細長い棒に摺動可能に結合させる、請求項２に記載の装置。
【請求項４】
前記第１のハンドスライドの前記トラックガイドが、前記第１のトラックと係合し且つ前記第１のハンドスライドを前記細長い棒の長手方向軸の周りで前記第１のトラックと同じ回転の向きに維持するように選択された形状を有するように形成されている、請求項２に記載の装置。
【請求項５】
取付けデバイス、ハンドグリップ、およびトラックガイドを有する第２のハンドスライドを更に備えている、請求項２に記載の装置。
【請求項６】
前記取付けデバイスが、前記第２のハンドスライドを前記細長い棒に摺動可能に結合させる、請求項５に記載の装置。
【請求項７】
前記第１のハンドスライドに結合された第１の端部と、前記第２のハンドスライドに結合された第２の端部とを有する抵抗バンドを更に備えている、請求項５に記載の装置。
【請求項８】
前記細長い棒が、少なくとも２つの部分から形成され、これら２つの部分が、前記細長い棒を形成するように堅く結合可能である、請求項１に記載の装置。
【請求項９】
フィットネススティック用のシステムであって、
中心位置、第１の端部、および第２の端部を有する細長い棒と、
前記棒に接続され、前記細長い棒の外側表面に沿って前記中心位置から前記第１の端部に向かって外方へ螺旋状に延びている第１のトラックと、
前記棒に接続され、前記細長い棒の外側表面に沿って前記中心位置から前記第２の端部に向かって外方へ螺旋状に延びている第２のトラックと、を備え、
前記第２のトラックに沿った任意の点が、前記中心位置を通り且つ前記細長い棒の長手方向軸に直交して延びている中心平面に関して、前記第１のトラック上の対応する点に対して鏡映対称であり、
前記システムは、更に、それぞれ、取付けデバイス、ハンドグリップ、およびトラックガイドを有する第１および第２のハンドスライドと、
前記第１のハンドスライドに結合された第１の端部、及び前記第２のハンドスライドに結合された第２の端部を有する抵抗バンドと、を備え、
前記トラックガイドが、前記第１および第２のトラックのうちの１つと係合し、前記第１および第２のハンドスライドのうちの１つを、前記細長い棒の長手方向軸の周りで前記第１および第２のトラックの１つと同じ回転の向きに維持するように選択された形状を有するように形成されている、システム。
【請求項１０】
前記取付けデバイスが、前記第１および第２のハンドスライドのうちの１つを前記細長い棒に摺動可能に結合させる、請求項９に記載のシステム。
【請求項１１】
前記細長い棒が、少なくとも２つの部分から形成され、これら２つの部分が、前記細長い棒を形成するように堅く結合可能である、請求項９に記載のシステム。
【請求項１２】
フィットネススティック用の装置であって、
中心位置、第１の端部、および第２の端部を有する細長い棒と、
前記棒に接続され、前記細長い棒の外側表面に沿って前記中心位置から前記第１の端部に向かって外方へ螺旋状に延びている第１のトラックと、
前記棒に接続され、前記細長い棒の外側表面に沿って前記中心位置から前記第２の端部に向かって外方へ螺旋状に延びている第２のトラックと、を備え、
各々が、取り付けデバイス、ハンドグリップ、及びトラックガイドを備えている、第１及び第２のハンドスライドと、を備えており、
前記細長い棒が、少なくとも２つの部分から形成され、これらの２つの部分が、前記細長い棒を形成するように堅く結合可能であり、
前記トラックガイドが、前記第１および第２のトラックのうちの１つと係合し、前記第１および第２のハンドスライドのうちの１つを、前記細長い棒の長手方向軸の周りで前記第１および第２のトラックの１つと同じ回転の向きに維持するように選択された形状を有するように形成されている、装置。
【請求項１３】
前記第２のトラックに沿った任意の点が、前記中心位置を通り且つ前記細長い棒の長手方向軸に直交して延びている中心平面に関して、前記第１のトラック上の対応する点に対して鏡映対称である、請求項１２に記載の装置。
【請求項１４】
前記第１および第２のトラックが、前記細長い棒の表面に形成され、各トラックが、トラックガイドと係合するように選択された断面プロファイルを有している、請求項１２に記載の装置。
【請求項１５】
前記第１および第２のトラックが、前記細長い棒の表面内へ埋め込まれ、それぞれ、強磁性体材料と係合するように選択された磁性体材料から形成される、請求項１２に記載の装置。
【請求項１６】
前記第１および第２のトラックが、前記細長い棒の表面内に埋め込まれた歯として構成され、該歯が、トラックガイド内の対応する歯車と係合するように選択された、請求項１２に記載の装置。
【請求項１７】
前記第１のハンドスライドに結合された第１の端部と、前記第２のハンドスライドに結合された第２の端部とを有する抵抗バンドを更に備えている、請求項１２に記載の装置。
【請求項１８】
前記第１および第２のトラックが、前記細長い棒の表面内へ埋め込まれ、各トラックが、使用者の指と係合するように選択された断面プロファイルを有している、請求項１２に記載の装置。
【発明の詳細な説明】
【技術分野】
【０００１】
関連出願の相互参照
本出願は、Ｌｉ  Ｓｉ  Ｙａｎｇに対して２００９年６月２３日に出願の「ＡＰＰＡＲＡＴＵＳ，ＳＹＳＴＥＭ，ＡＮＤ  ＭＥＴＨＯＤ  ＦＯＲ  Ａ  ＦＩＴＮＥＳＳ  ＳＴＩＣＫ」という名称の米国特許仮出願第６１／２１９，６７５号の優先権を主張する。同出願を、参照により本明細書に組み込む。
【０００２】
本開示は、運動機器に関し、より詳細には、身体の運動中に適正な姿勢を促進するフィットネススティックに関する。
【背景技術】
【０００３】
人は、筋肉および心臓血管システムの強化、運動能力の改善、減量を含む様々な理由で、または単に楽しみもしくは娯楽のために運動する。運動はまた、身体に関する個人の認識を改善することによって、自信を増大させるのに役立つ。
【０００４】
運動は通常、身体に与える全体的な効果に基づいて、３つの広いカテゴリに分類することができる。３つのグループとは、柔軟運動、有酸素運動、および無酸素運動である。個人の訓練法では、個人の目標に従って、各グループからの運動を組み合わせる。たとえば、マラソンの訓練をする人は、重量挙げ選手より有酸素運動に重点をおく。目標にかかわらず、適正な姿勢は重要である。
【０００５】
姿勢は、負傷を回避して体力を増大させるために、運動を実行する特有の方法である。姿勢が適正でなければ負傷を招き、さらに運動の所望の効果を低減させる。たとえば、多くの運動は、特有の筋肉群を標的とするように設計されている。姿勢が適正でなければ、身体は２次的な筋肉群を利用して、運動の所望の効果を低減させる。
【０００６】
適正な姿勢はまた、体力以外の訓練運動でも重要である。たとえば、ヨガを行っているとき、最も基本的なポーズの場合でも間違いを犯しやすい。これは、筋違い、捻挫、および慢性的な痛みにつながる可能性がある。したがって、負傷を最小にして所望の効果を最大にするには、運動のタイプにかかわらず、適正な姿勢を実行することが重要である。
【発明の概要】
【発明が解決しようとする課題】
【０００７】
上記の議論から、運動者が運動の範囲全体にわたって適正な姿勢を維持するのに役立つ装置およびシステムが必要とされていることは明らかなはずである。
【課題を解決するための手段】
【０００８】
本開示は、現在の現況技術に応えて、具体的には現在利用可能なデバイスによってまだ完全に解決されていない当技術分野における問題および必要に応えて開発されてきた。したがって、本開示は、当技術分野における上記で論じた欠点の多くまたはすべてを克服するために開発されてきた。
【０００９】
この装置は、中心点、第１の端部、および第２の端部を有する細長い棒を備える。装置はまた、棒に接続され、中心点から離れて細長い棒の外側表面に沿って第１の端部の方へ螺旋状に延びる第１のトラックと、棒に接続され、中心点から離れて細長い棒の外側表面に沿って第２の端部の方へ螺旋状に延びる第２のトラックとを含む。第２のトラックに沿った任意の点は、中心点を通って延び、細長い棒の長手方向軸に直交する中心平面に対し
て、第１のトラック上の対応する点に鏡映対称である。
【００１０】
装置はまた、取付けデバイス、ハンドグリップ、およびトラックガイドを有する第１のハンドスライドを含む。取付けデバイスは、第１のハンドスライドを細長い棒に摺動可能に結合させる。トラックガイドは、第１のトラックと係合し、細長い棒の長手方向軸の周りで第１のトラックと同じ回転の向きで第１のハンドスライドを維持するように選択された形状を有するように形成される。装置はまた、上述の第１のハンドスライドに類似している第２のハンドスライドを含む。
【００１１】
一実施形態では、装置は、第１のハンドスライドに結合された第１の端部と、第２のハンドスライドに結合された第２の端部とを有する抵抗バンドを含む。さらなる実施形態では、細長い棒は、少なくとも２つの部分から形成される。これらの部分は、細長い棒を形成するように堅く結合可能である。
【００１２】
一実施形態では、システムは、中心点、第１の端部、および第２の端部を有する細長い棒と、中心点から離れて細長い棒の外側表面に沿って第１の端部の方へ螺旋状に延びる第１のトラックと、棒に接続され、中心点から離れて細長い棒の外側表面に沿って第２の端部の方へ螺旋状に延びる第２のトラックと、第１および第２のハンドスライドと、第１および第２のハンドスライドを結合させる抵抗バンドとを含む。
【００１３】
別の実施形態では、装置は、細長い棒と、第１および第２のトラックと、細長い棒を形成するように堅く結合可能な少なくとも２つの細長い部分とを含む。この実施形態では、トラックは、細長い棒の表面に形成され、各トラックは、トラックガイドと係合するように選択された断面プロファイルを有する。代替実施形態では、第１および第２のトラックは、細長い棒の表面内へ埋め込まれ、それぞれ、強磁性体材料と係合するように選択された磁性体材料から形成される。別法として、第１および第２のトラックは、細長い棒の表面内に埋め込まれた歯として構成され、歯は、トラックガイド内の対応する歯車と係合するように選択される。別の代替実施形態では、第１および第２のトラックは、細長い棒の表面内へ埋め込まれ、各トラックは、使用者の指と係合するように選択された断面プロファイルを有する。
【００１４】
本明細書全体にわたって、特徴、利点、または類似の言語の参照は、本開示で実現できる特徴および利点のすべてを本開示のいずれかの単一の実施形態で行うべきであること、または行われることを示唆するものではない。逆に、特徴および利点を参照する言語は、一実施形態に関連して説明する特徴、利点、または特性が、本開示の少なくとも一実施形態に含まれることを意味すると理解される。したがって、本明細書全体にわたって、特徴および利点、ならびに類似の言語に関する議論は、同じ実施形態を参照することがあるが、必ず参照するわけではない。
【００１５】
さらに、１つまたは複数の実施形態では、本開示の記載の特徴、利点、および特性を適切に組み合わせることができる。特定の実施形態の特有の特徴または利点の１つまたは複数がなくても本開示を実施できることが、当業者には理解されるであろう。他の場合では、特定の実施形態において、本開示のすべての実施形態に存在するわけではない追加の特徴および利点を理解することができる。
【００１６】
本開示のこれらの特徴および利点は、以下の説明および添付の特許請求の範囲からより完全に明らかになり、または本明細書で以下に述べる本開示を実施することによって学ぶことができる。
【００１７】
本開示の利点を容易に理解するために、簡単に上述した本開示のより具体的な説明は、
添付の図面に示す特有の実施形態を参照することによって提供される。これらの図面は本開示の典型的な実施形態のみを示し、したがって本発明の範囲を限定すると解釈されるべきではないことを理解した上で、本開示について、添付の図面を使用することによって、追加の特定性および詳細とともに記載および説明する。
【図面の簡単な説明】
【００１８】
【図１】フィットネススティックの正面図である。
【図２】フィットネススティックの断面の斜視図である。
【図３】着脱可能なハンドグリップを示す図である。
【図４】２つのトラックを装備したフィットネススティックの断面の斜視図である。
【図５】２つのトラックガイドを装備したハンドスライドを示す図である。
【図６】図６ａは磁気トラックを装備したフィットネススティックの断面の斜視図である。
【００１９】
図６ｂは歯車トラックを装備したフィットネススティックの断面の斜視図である。
図６ｃは指トラックを装備したフィットネススティックの断面の斜視図である。
【図７】図７ａは磁気スライダを装備したハンドスライドを示す図である。
【００２０】
図７ｂは歯車スライダを装備したハンドスライドを示す図である。
【図８】抵抗機構を装備したフィットネススティックを示す図である。
【図９】フィットネススティックの崩壊性を示す図である。
【発明を実施するための形態】
【００２１】
本明細書全体にわたって、「一実施形態（ｏｎｅ  ｅｍｂｏｄｉｍｅｎｔ）」、「一実施形態（ａｎ  ｅｍｂｏｄｉｍｅｎｔ）」、または類似の言語の参照は、その実施形態に関連して説明する特定の特徴、構造、または特性が、本開示の少なくとも一実施形態に含まれることを意味する。したがって、本明細書全体にわたって「一実施形態で（ｉｎ  ｏｎｅ  ｅｍｂｏｄｉｍｅｎｔ）」、「一実施形態で（ｉｎ  ａｎ  ｅｍｂｏｄｉｍｅｎｔ）」という語句、および類似の言語はすべて、同じ実施形態を参照することがあるが、必ず参照するわけではない。
【００２２】
さらに、本開示の記載の特徴、構造、または特性は、１つまたは複数の実施形態で適切に組み合わせることができる。以下の説明では、多数の特有の詳細を提供して、本開示の実施形態の徹底的な理解を提供する。しかし、特有の詳細の１つまたは複数がなくても、または他の方法、構成要素、材料などでも本開示を実施できることが、当業者には認識されるであろう。他の場合では、本開示の態様を曖昧にしないために、よく知られている構造、材料、または動作については、詳細に図示または説明しない。
【００２３】
図１は、フィットネススティック１００の一実施形態を示す。フィットネススティック１００は、一連の運動を容易にしながら、運動者が正しい姿勢を維持するのに役立つ。また、このフィットネススティックは、使用者が運動の範囲全体にわたって身体を伸ばしたり動かしたりするのに役立ち、それによって使用者のライフスタイルを改善する。特定の実施形態では、フィットネススティック１００は、細長い棒１０２、トラック１０４ａおよび１０４ｂ、ならびにハンドスライド１０６ａ、１０６ｂを備えることができる。
【００２４】
細長い棒１０２は、硬質材料の長いシャフトである。たとえば、細長い棒１０２は、直径が約２．５４〜７．６２ｃｍ（１〜３インチ）の範囲内である円筒形の木製の棒とすることができる。一実施形態では、細長い棒の直径は、約３．４９ｃｍ（１・３／８インチ
）である。細長い棒の長さは、約１．８２ｍ（２ヤード）である。細長い棒１０２は、任意の長さまたは直径を有することができる。たとえば、細長い棒１０２の製造者は、特定の運動者の好みに一致するように直径および長さをカスタマイズすることができる。より背の高い使用者は、より長い細長い棒１０２を必要とすることがあり、手の小さい使用者は、直径のより小さい細長い棒１０２を必要とすることがある。
【００２５】
さらに、細長い棒１０２は、任意の硬質材料から形成することができる。言い換えれば、細長い棒１０２は、木材、金属、ガラス繊維、プラスチック、炭素繊維などから製造することができる。また、細長い棒１０２は、使用者の指定に従って選択された重量を有する。たとえば、使用者は、運動中に筋肉への抵抗を増大させるために、より重い棒を望むことがある。
【００２６】
特定の実施形態では、フィットネススティック１００は、トラック１０４ａ〜ｂを含む。トラック１０４ａ〜ｂは、細長い棒１０２の長手方向の中心から離れて延びる溝によって形成される。本明細書では、「トラック」という用語は、細長い棒１０２の表面内の長手方向に進む刻みまたはチャネルを指す。さらに、トラック１０４ａ〜ｂは、細長い棒１０２の中心から離れて延びるにつれて、細長い棒１０２の長手方向軸の周囲を螺旋状に進むことができる。
【００２７】
一実施形態では、トラック１０４ａは、細長い棒１０２の中心付近の指定の始点から始まることができる。トラック１０４ａは、細長い棒１０２の端部付近の指定の終点で終端しており、終点は、細長い棒１０２のうち、始点と同じ側にある。始点はまた、終点より細長い棒１０２の中心に近い。特定の実施形態では、始点は、細長い棒１０２の中心点と同じにすることができる。さらなる実施形態では、終点は、細長い棒１０２の一方の端部にすることができる。
【００２８】
少なくとも一実施形態では、トラック１０４ｂは、細長い棒１０２の中心を通って延び、細長い棒１０２の長手方向軸に直交する平面に対して、トラック１０４ａに鏡映対称である。言い換えれば、トラック１０４ａ上に位置する点は、長手方向軸に直交する平面内で、トラック１０４ｂ上に位置する点と同じ座標を有する。トラック１０４ａ上の点は、長手方向軸に沿って中心点から反対の方向であるが、中心点から長手方向軸に沿ってトラック１０４ｂ上の点と同じ距離のところに位置する。代替実施形態では、トラック１０４ｂは、平面によってトラック１０４ａの鏡映を形成した後、長手方向軸の周囲で回転方向にずらすことができる。
【００２９】
特定の実施形態では、ハンドスライド１０６ａ〜ｂは、細長い棒１０２に留めることができる。本明細書では、「ハンドスライド」という用語は、使用者が特有の位置で細長い棒１０２を把持できる摺動可能な機構を指す。さらに、ハンドスライド１０６ａ〜ｂは、トラック１０４ａ〜ｂと同じ回転速度で、細長い棒１０２の長手方向軸の周囲を回転することができる。ハンドスライド１０６ａ〜ｂは、トラック１０４ａ〜ｂ内へガイドを延ばすことによって、トラック１０４ａ〜ｂと同じ回転の向きを維持することができる。ガイドは、ハンドスライド１０６ａ〜ｂが細長い棒の周りを回転するのを防止するが、ハンドスライドが細長い棒１０２の長手方向軸に沿って動けるようにする。ハンドスライド１０６ａ〜ｂを把持することによって、使用者は、同じ回転位置で手を保ちながら、手の間の同じ位置で細長い棒１０２の中心点を維持することができる。
【００３０】
図２は、一実施形態による細長い棒１０２の断面２００を示す。断面２００は、トラック２０４および細長い棒１０２を含むことができる。一実施形態によれば、トラック２０４は、細長い棒１０２の長手方向軸に対してわずかに傾斜して進むことができる。トラックの角度は、ハンドグリップが細長い棒１０２の中心平面に対して鏡映の位置に位置する
ことを必要とする任意の間隔を有することができる。たとえば、トラック２０４は、細長い棒１０２の周囲を一回だけ回転することができる。細長い棒の周囲を一回だけ進むことによって、細長い棒１０２の中心点の片側のすべての回転位置は独特のものになる。したがって、運動者がハンドスライドを使用するとき、両手は常に、細長い棒１０２の中心平面に対して鏡映の位置に位置する。
【００３１】
一実施形態では、トラック２０４は、細長い棒１０２の周囲を複数回回転する。たとえば、トラック２０４は、細長い棒を２周することができる。トラック２０４が細長い棒１０２の周囲を回転する回転数は、使用者の好みに従って選択される。
【００３２】
図３は、ハンドスライド３０６を示す斜視図である。図３のハンドスライドは、トラックガイド３０２および取付け表面３０４ａ〜ｂを含む。少なくとも一実施形態では、ハンドスライド３０６は、布地から形成される。さらなる実施形態では、ハンドスライド３０６は、プラスチック、金属、皮革などから作製することができる。
【００３３】
特定の実施形態では、ハンドスライド３０６は、トラックガイド３０２を備えることができる。トラックガイド３０２は、ハンドスライド３０６のうち、トラック２０４と係合するような輪郭をもつより厚い部分である。トラック２０４と係合することによって、トラックガイド３０２は、ハンドスライド３０６がトラック２０４に沿って長手方向に動かない限り、ハンドスライドが細長い棒１０２の長手方向軸の周囲を回転するのを防止する。ハンドスライド３０６がトラック２０４に沿って長手方向に動くとき、ハンドスライド３０６は、トラック２０４が細長い棒１０２の長手方向軸の周囲を回転するのと同じ速度で、細長い棒１０２の長手方向軸の周囲を回転することができる。
【００３４】
たとえば、トラックガイド３０２は、ハンドスライド３０６に取り付けられた袋を備える。袋は、トラック２０４の形状に一致する形状を維持するのに役立つ任意の材料を収容することができる。たとえば、袋を豆で満たすことができる。別法として、袋は、砂、ビーズ、紙、プラスチックなどを収容することができる。さらなる実施形態では、トラックガイド３０２は、トラック１０４を埋めるような形状に成型された材料片から形成される。成型された材料は、プラスチック、金属、木材などを含むことができる。
【００３５】
特定の実施形態では、ハンドスライド３０６は、細長い棒１０２から取り外される。ハンドスライド３０６は、細長い棒１０２から取り外されるとき、取付け可能な表面３０４ａ〜ｂを含むことができる。取付け可能な表面３０４ａは、取付け可能な表面３０４ｂと係合する。取付け可能な表面３０４ａ〜ｂは、フックアンドループ式の留め具、バックル、ジッパ、締めひも、ボタンなどで互いに取り付けることができる。少なくとも一実施形態では、トラック２０４が細長い棒１０２の端部まで延びる場合、ハンドスライド３０６は、細長い棒１０２の端部から摺動させることによって取り外すことができる。
【００３６】
さらなる実施形態では、ハンドスライド３０６は、細長い棒１０２から着脱可能ではない。この実施形態では、ハンドスライド３０６は、上記で概説したような任意の材料から製造される。一実施形態では、ハンドスライド３０６は、プラスチックまたは金属などの材料から成型することができる。さらに、ハンドスライド３０６には、把持表面が施されており、把持表面は、使用者がハンドスライド３０６をより効果的に把持するのを支援する。
【００３７】
図４は、細長い棒１０２が細長い棒１０２の中心点の両側に複数のトラックを有する一実施形態を示す。特定の実施形態では、細長い棒１０２は、トラック４０２ａ〜ｂを備えることができる。トラック４０２ａ〜ｂは、細長い棒１０２の周囲を同じ回転速度で回転することができる。トラック４０２ａ〜ｂは、細長い棒１０２に沿って互いに対して平行
に進む。さらに、トラック４０２ａは、細長い棒１０２のうち、トラック４０２ｂから反対側に位置することができる。別の実施形態では、トラック４０２ａおよびトラック４０２ｂは、細長い棒１０２の円周の周囲で任意の位置に位置することができる。たとえば、細長い棒１０２の円周は、１２．７ｃｍ（５インチ）とすることができる。
【００３８】
トラック４０２ａの中心は、細長い棒１０２の円周に沿って、トラック４０２ｂの中心から２．５４ｃｍ（１インチ）のところに位置することができる。言い換えれば、棒の円周に沿って取った２つのトラック間の距離は、一定の２．５４ｃｍ（１インチ）である。別法として、トラック４０２ａの中心は、細長い棒１０２の円周に沿ってトラック４０２ｂの中心から６．３５ｃｍ（２．５インチ）離れたところに位置することができる。さらに、少なくとも一実施形態では、トラック４０２ａの中心は、細長い棒１０２の円周に沿ってトラック４０２ｂの中心から４．０６４ｃｍ（１．６インチ）離れたところに位置することができ、トラック４０２ｂの中心は、細長い棒１０２の円周に沿って第３のトラックの中心から４．３１８ｃｍ（１．７インチ）離れたところに位置することができる。これらのトラックは、長さ全体にわたって互いに対して平行に進むことができる。
【００３９】
図５は、図４に示すように複数のトラックをもつ細長い棒１０２上で摺動するように設計されたハンドスライドを示す。ハンドスライド５００は、取付け表面５０４ａおよび取付け表面５０４ｂを含むことができ、取付け表面５０４ａ〜ｂは、図３の取付け表面３０４ａ〜ｂと同様に機能する。さらに、ハンドスライドは、トラックガイド５０２ａ〜ｂを備えることができ、これらのトラックガイドは、図３のトラックガイド３０２と同様に機能する。トラックガイド５０２ａ〜ｂは、図４に関連して説明した複数のトラックの位置へ嵌合することができる。たとえば、２つのトラックが細長い棒１０２の周囲を回転するとき、トラックガイド５０２ａ〜ｂは、２つの異なるトラックを埋めることができる。ハンドスライド５００は、細長い棒１０２の周囲を回転するトラックの数に対応する複数のトラックガイド５０２を含むことができる。
【００４０】
さらなる実施形態では、図６ａ〜ｃおよび７ａ〜ｂは、トラックの代替実施形態を、対応するハンドスライドとともに示す。図６ａ〜ｃは、様々な実施形態による細長い棒上のトラックを示し、図７ａ〜ｂは、様々な実施形態によるハンドスライドを示す。
【００４１】
図６ａは、磁気トラック６０４ａを装備した細長い棒６０２ａを示す。磁気トラック６０４ａは、図１のトラック１０２ａが細長い棒１０２の周囲を螺旋状に進む方法と同様に、細長い棒６０２ａの周囲を螺旋状に進む。磁気トラック６０４ａは、磁石によって引き付けられる金属、磁性体材料、金属と磁性体材料の混合物などを含むことができる。さらに、磁気トラック６０４ａは、細長い棒６０２ａから離れて延びること、細長い棒６０２ａの表面内へ埋め込むこと、保護容器内に収容することなどができる。
【００４２】
同様に、図７ａは、磁気スライダ７０４ａを装備したハンドスライド７０６ａを示す。磁気スライダ７０４ａは、磁気トラック６０４ａの表面に沿って摺動し、磁気トラック６０４ａが細長い棒６０２ａの周囲を螺旋状に進むのと同じ速度で、細長い棒６０２ａの周囲を螺旋状に進むことができる。一実施形態では、磁気スライダ７０４ａは、ハンドスライド７０６ａに取り付けられた一連の磁石である。たとえば、磁気トラック６０４ａの間隔に一致する間隔で、布製のハンドスライド７０６ａ内に一連のモリブデン磁石を散りばめることができる。特定の実施形態では、磁気スライダ７０４ａは、１つの固体磁石、一連の磁石、磁石によって引き付けられる金属などを含むことができる。別の実施形態では、これらの磁石は、運動中の活動を増大させるために、摺動に対する抵抗を提供するように構成することができる。
【００４３】
図６ｂは、歯車トラック６０４ｂを装備した細長い棒６０２ｂを示す。歯車トラック６
０４ｂは、図１のトラック１０２ａと同様に、細長い棒６０２ｂの周囲を螺旋状に進む。歯車トラック６０４ｂは、歯車の歯を受け取るように設計された一連の小さい溝を備えることができる。さらに、歯車トラック６０４ｂの歯は、木材、嵌め込んだ金属などの刻みとすることができる。
【００４４】
図７ｂは、歯車スライダ７０４ｂを装備したハンドスライド７０６ｂを示す。歯車スライダは、歯車トラック６０４ｂと係合する一連の回転歯車を備えることができる。歯車スライダ７０４ｂ内の歯車は、歯車の歯が歯車トラック６０４ｂを通って動くにつれて回転することができる。ハンドスライド７０６ｂは、細長い棒６０２ｂの表面に沿って動くにつれて、歯車トラック６０４ｂが細長い棒６０２ｂの周囲を螺旋状に進むのと同じ速度で、細長い棒６０２ｂの周囲を螺旋状に進むことができる。特定の実施形態では、歯車スライダ７０４ｂは、プラスチック、金属、木材、セラミックなどから製造された歯車を備える。
【００４５】
図６ｃは、指トラック６０４ｃを装備した細長い棒６０２ｃを示す。指トラック６０４ｃは、図１のトラック１０２ａが細長い棒１０２の周囲を螺旋状に進むのと同様に、細長い棒６０２ｃの周囲を螺旋状に進む。指トラック６０４ｃは、人間の指がトラックを通って摺動できるような輪郭をもつ溝を備えることができ、ハンドスライドの必要をなくす。さらに、指トラック６０４ｃを通って指を摺動できるように、指トラック６０４ｃには、ワックス、研磨された金属、プラスチック、研磨された木材などを含めて、摩擦を低減させる材料を嵌め込むことができる。
【００４６】
図８は、特にハンドスライドが細長い棒１０２に沿って動くのを抵抗が抑制するときの、ハンドスライドのさらなる実施形態を示す。図８では、ハンドスライド１０６ａ〜ｂは、抵抗バンド留め具８０６をさらに備える。また、抵抗バンド８０４が、ハンドスライド１０６ａをハンドスライド１０６ｂに接続することができる。
【００４７】
特定の実施形態では、抵抗バンド留め具８０６は、抵抗バンド８０４をハンドスライド１０６ａ〜ｂに固定する機構を備えることができる。たとえば、フック、フックアンドループ式の留め具、ノッチ、スナップなどで、抵抗バンド８０４をハンドスライド１０６ａ〜ｂに取り付けることができる。少なくとも一実施形態では、抵抗バンドをハンドスライド１０６ａ〜ｂに永久的に接続することができる。この実施形態では、抵抗バンド留め具８０６は、抵抗バンド８０４に接続される成型された接続点を備えることができる。別の実施形態では、ハンドスライド１０６ａ〜ｂは、他の形の抵抗に接続することができる。たとえば、抵抗バンドは、ケーブル滑車システムに接続することができ、ケーブル滑車システムは、重量抵抗に接続される。ハンドスライドは、複数の抵抗バンド、曲げられる棒などを含む他の形の抵抗に接続することができる。
【００４８】
図９は、保管および輸送のために様々な部分に分離できるフィットネススティックを示す。たとえば、フィットネススティック９００は、細長い棒９０２ａ〜ｂ、オス側の棒留め具９０４、メス側の棒留め具９０６、およびトラック１０４ａ〜ｂを備えることができる。トラック１０４ａ〜ｂは、上記で特定したように機能する。
【００４９】
特定の実施形態では、フィットネススティック９００は、取り外して２つの別個の部品、細長い棒９０２ａと細長い棒９０２ｂにすることができる。細長い棒９０２ａは、オス側の棒留め具９０４を備えることができ、細長い棒９０２ｂは、メス側の棒留め具９０６を備えることができる。細長い棒９０２ａは、細長い棒９０２ｂに接続することができる。細長い棒９０２ａ〜ｂを接続するために、オス側の棒留め具９０４をメス側の棒留め具９０６内へ嵌合させることができる。オス側の棒留め具９０４とメス側の棒留め具は、ねじ式の留め具、ソケットなどを含めて、異なる方法で接続することもできる。細長い棒９
０２ａが細長い棒９０２ｂに接続されるとき、トラック１０４ａ〜ｂは、前述のように鏡映対称でなければならない。
【００５０】
本開示は、本開示の精神または本質的な特性から逸脱することなく、他の特有の形でも実施することができる。記載の実施形態は、あらゆる点で、限定ではなく例示のみを目的とすると見なされるべきである。したがって、本開示の範囲は、上記の説明ではなく添付の特許請求の範囲によって示される。特許請求の範囲の均等物の意味および範囲内に入るすべての変更形態は、特許請求の範囲内に包含されるものとする。
【図１】
2015096204.tif 000003
【図２】
2015096204.tif 000004
【図３】
2015096204.tif 000005
【図４】
2015096204.tif 000006
【図５】
2015096204.tif 000007
【図６】
2015096204.tif 000008
【図７】
2015096204.tif 000009
【図８】
2015096204.tif 000010
【図９】
2015096204.tif 000011
【手続補正書】
【提出日】平成27年1月6日(2015.1.6)
【手続補正１】
【補正対象書類名】特許請求の範囲
【補正対象項目名】全文
【補正方法】変更
【補正の内容】
【特許請求の範囲】
【請求項１】
フィットネススティック用の装置であって、
中心位置、第１の端部、および第２の端部を有する細長い棒と、
前記棒に接続され、前記細長い棒の外側表面に沿って前記中心位置から前記第１の端部に向かって外方へ螺旋状に延びている第１のトラックと、
前記棒に接続され、前記細長い棒の外側表面に沿って前記中心位置から前記第２の端部に向かって外方へ螺旋状に延びている第２のトラックと、を備え、
前記第２のトラックに沿った任意の点が、前記中心位置を通り且つ前記細長い棒の長手方向軸に直交して延びている中心平面に関して、前記第１のトラック上の対応する点に対して鏡映対称であり、
取付けデバイス、ハンドグリップ、およびトラックガイドを有する第１のハンドスライドと、
取付けデバイス、ハンドグリップ、およびトラックガイドを有する第２のハンドスライドとを更に備えており、
前記第２のハンドスライドの前記トラックガイドが、前記第２のトラックと係合し且つ前記第２のハンドスライドを前記細長い棒の長手方向軸の周りで前記第１のトラックと同じ回転の向きに維持するように選択された形状を有するように形成されている、装置。
【請求項２】
前記取付けデバイスが、前記第１のハンドスライドを前記細長い棒に摺動可能に結合させる、請求項１に記載の装置。
【請求項３】
前記第１のハンドスライドの前記トラックガイドが、前記第１のトラックと係合し且つ前記第１のハンドスライドを前記細長い棒の長手方向軸の周りで前記第１のトラックと同じ回転の向きに維持するように選択された形状を有するように形成されている、請求項１に記載の装置。
【請求項４】
前記取付けデバイスが、前記第２のハンドスライドを前記細長い棒に摺動可能に結合させる、請求項１に記載の装置。
【請求項５】
前記第１のハンドスライドに結合された第１の端部と、前記第２のハンドスライドに結合された第２の端部とを有する抵抗バンドを更に備えている、請求項１に記載の装置。
【請求項６】
前記細長い棒が、少なくとも２つの部分から形成され、これら２つの部分が、前記細長い棒を形成するように堅く結合可能である、請求項１に記載の装置。
【請求項７】
フィットネススティック用のシステムであって、
中心位置、第１の端部、および第２の端部を有する細長い棒と、
前記棒に接続され、前記細長い棒の外側表面に沿って前記中心位置から前記第１の端部に向かって外方へ螺旋状に延びている第１のトラックと、
前記棒に接続され、前記細長い棒の外側表面に沿って前記中心位置から前記第２の端部に向かって外方へ螺旋状に延びている第２のトラックと、を備え、
前記第２のトラックに沿った任意の点が、前記中心位置を通り且つ前記細長い棒の長手方向軸に直交して延びている中心平面に関して、前記第１のトラック上の対応する点に対して鏡映対称であり、
前記システムは、更に、それぞれ、取付けデバイス、ハンドグリップ、およびトラックガイドを有する第１および第２のハンドスライドと、
前記第１のハンドスライドに結合された第１の端部、及び前記第２のハンドスライドに結合された第２の端部を有する抵抗バンドと、を備え、
前記トラックガイドが、前記第１および第２のトラックのうちの１つと係合し、前記第１および第２のハンドスライドのうちの１つを、前記細長い棒の長手方向軸の周りで前記第１および第２のトラックの１つと同じ回転の向きに維持するように選択された形状を有するように形成されている、システム。
【請求項８】
前記取付けデバイスが、前記第１および第２のハンドスライドのうちの１つを前記細長い棒に摺動可能に結合させる、請求項７に記載のシステム。
【請求項９】
前記細長い棒が、少なくとも２つの部分から形成され、これら２つの部分が、前記細長い棒を形成するように堅く結合可能である、請求項７に記載のシステム。
【請求項１０】
フィットネススティック用の装置であって、
中心位置、第１の端部、および第２の端部を有する細長い棒と、
前記棒に接続され、前記細長い棒の外側表面に沿って前記中心位置から前記第１の端部に向かって外方へ螺旋状に延びている第１のトラックと、
前記棒に接続され、前記細長い棒の外側表面に沿って前記中心位置から前記第２の端部に向かって外方へ螺旋状に延びている第２のトラックと、を備え、
各々が、取り付けデバイス、ハンドグリップ、及びトラックガイドを備えている、第１及び第２のハンドスライドと、を備えており、
前記細長い棒が、少なくとも２つの部分から形成され、これらの２つの部分が、前記細長い棒を形成するように堅く結合可能であり、
前記トラックガイドが、前記第１および第２のトラックのうちの１つと係合し、前記第１および第２のハンドスライドのうちの１つを、前記細長い棒の長手方向軸の周りで前記第１および第２のトラックの１つと同じ回転の向きに維持するように選択された形状を有するように形成されている、装置。
【請求項１１】
前記第２のトラックに沿った任意の点が、前記中心位置を通り且つ前記細長い棒の長手方向軸に直交して延びている中心平面に関して、前記第１のトラック上の対応する点に対して鏡映対称である、請求項１０に記載の装置。
【請求項１２】
前記第１および第２のトラックが、前記細長い棒の表面に形成され、各トラックが、トラックガイドと係合するように選択された断面プロファイルを有している、請求項１０に記載の装置。
【請求項１３】
前記第１および第２のトラックが、前記細長い棒の表面内へ埋め込まれ、それぞれ、強磁性体材料と係合するように選択された磁性体材料から形成されている、請求項１０に記載の装置。
【請求項１４】
前記第１および第２のトラックが、前記細長い棒の表面内に埋め込まれた歯として構成され、該歯が、トラックガイド内の対応する歯車と係合するように選択された、請求項１０に記載の装置。
【請求項１５】
前記第１のハンドスライドに結合された第１の端部と、前記第２のハンドスライドに結合された第２の端部とを有する抵抗バンドを更に備えている、請求項１０に記載の装置。
【請求項１６】
前記第１および第２のトラックが、前記細長い棒の表面内へ埋め込まれ、各トラックが、使用者の指と係合するように選択された断面プロファイルを有している、請求項１０に記載の装置。
【外国語明細書】
2015096204000001.pdf